(57)【要約】【課題】複数の広告主に申し込みの機会を与え、広告主の利便性を高めた広告表示サーバ装置、広告表示方法、および、広告表示サーバ装置用のプログラムを提供する。【解決手段】広告主端末装置２０から広告用キーワードを受信し、複数の広告主端末２５装置から広告用キーワードに対して申し込まれた申込ユニット数に基づいて広告用キーワードの申し込み１ユニット当たりの申込ユニット価格を算出し、申込ユニット価格で広告用キーワードに対して申し込まれた申込ユニット数の情報を広告主端末装置から受信し、広告用キーワード、申込ユニット数、および、広告コンテンツを関連付けて記憶し、検索用キーワードを受信した際、検索用キーワードと関連する広告用キーワードを決定し、当該決定された広告用キーワードに関連づけて記憶された申込ユニット数および広告コンテンツを抽出して、広告コンテンツを表示するための表示優先順位を、申込ユニット数に基づき決定する。【選択図】図６
2011133941.tif 000002
【特許請求の範囲】
【請求項１】
ネットワークを介して複数の広告主端末装置およびユーザ端末装置に接続された広告表示サーバ装置であって、
前記広告主端末装置から広告用キーワードを受信する広告用キーワード受信手段と、
複数の前記広告主端末装置から前記広告用キーワードに対して申し込まれた申込ユニット数に基づいて、前記広告用キーワードの申し込み１ユニット当たりの価格である申込ユニット単価を算出する申込ユニット価格算出手段と、
前記申込ユニット価格の情報を前記広告主端末装置に送信する申込ユニット価格送信手段と、
前記申込ユニット価格で前記広告用キーワードに対して申し込まれた申込ユニット数の情報を前記広告主端末装置から受信する申込ユニット数受信手段と、
前記広告用キーワード、前記申込ユニット数、および、広告コンテンツを関連付けて記憶する記憶手段と、
前記ユーザ端末装置から検索用キーワードを受信する検索用キーワード受信手段と、
前記検索用キーワードを受信した際、前記記憶手段内を参照して、前記検索用キーワードと関連する広告用キーワードを決定し、当該決定された広告用キーワードに関連づけて記憶された前記申込ユニット数および広告コンテンツを抽出する広告抽出手段と、
前記抽出された広告コンテンツを表示するための表示優先順位を、前記申込ユニット数に基づき決定する表示優先順位決定手段と、
を備えたことを特徴とする広告表示サーバ装置。
【請求項２】
請求項１に記載の広告表示サーバ装置において、
前記抽出された広告コンテンツを前記表示優先順位に従って配列した広告リストを生成する広告リスト生成手段と、
前記検索用キーワードに応じた検索結果に前記広告リストを加えた検索結果ページを生成する検索結果ページ生成手段と、
前記検索結果ページを前記ユーザ端末装置に送信する検索結果送信手段と、
を更に備えたことを特徴とする広告表示サーバ装置。
【請求項３】
請求項２に記載の広告表示サーバ装置において、
前記広告リスト生成手段が、所定の数の前記広告コンテンツを前記広告リストに配列し、
前記広告リストに配列された場合に、当該広告リストに配列された広告コンテンツと関連付けて前記記憶手段に記憶されている前記申込ユニット数を減算する申込ユニット数減算手段を更に備えたことを特徴とする広告表示サーバ装置。
【請求項４】
請求項３に記載の広告表示サーバ装置において、
前記申込ユニット数減算手段が、前記表示優先順位に応じて前記申込ユニット数から減算するユニット数を決定することを特徴とする広告表示サーバ装置。
【請求項５】
請求項１から請求項４のいずれか１項に記載の広告表示サーバ装置において、
各広告用キーワードに対して、申し込みができる前記申込ユニット数を制限する申込ユニット数制限手段を更に備えたことを特徴とする広告表示サーバ装置。
【請求項６】
請求項１から請求項５のいずれか１項に記載の広告表示サーバ装置において、
前記申込ユニット価格算出手段は、複数の前記広告主端末装置からの申込ユニット数の合計に基づいて、前記申込ユニット単価を算出することを特徴とする広告表示サーバ装置。
【請求項７】
請求項６に記載の広告表示サーバ装置において、
前記申込ユニット価格算出手段は、前記合計の申込ユニット数の増加に応じて、前記申込ユニット価格を上昇させることを特徴とする広告表示サーバ装置。
【請求項８】
請求項１から請求項７のいずれか１項に記載の広告表示サーバ装置において、
前記申込ユニット価格算出手段は、前記申込ユニット数および前記広告用キーワードの検索の頻度に基づいて、前記申込ユニット価格を算出することを特徴とする広告表示サーバ装置。
【請求項９】
請求項１から請求項８のいずれか１項に記載の広告表示サーバ装置において、
前記キーワードの申込期限の情報を前記広告主端末装置に送信する申込期間送信手段を更に備えたことを特徴とする広告表示サーバ装置。
【請求項１０】
ネットワークを介して複数の広告主端末装置およびユーザ端末装置に接続された広告表示方法であって、
前記広告主端末装置から広告用キーワードを受信する広告用キーワード受信ステップと、
複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出ステップと、
前記申込ユニット価格の情報を前記広告主端末装置に送信する申込ユニット価格送信ステップと、
前記申込ユニット価格で前記広告用キーワードに対して申し込まれた申込ユニット数の情報を前記広告主端末装置から受信する申込ユニット数受信ステップと、
前記広告用キーワード、前記申込ユニット数、および、広告コンテンツを関連付けて記憶手段に記憶する記憶ステップと、
前記ユーザ端末装置から検索用キーワードを受信する検索用キーワード受信ステップと、
前記検索用キーワードを受信した際、前記記憶手段内を参照して、前記検索用キーワードと関連する広告用キーワード決定し、当該決定された広告用キーワードに関連づけて記憶された前記申込ユニット数をおよび広告コンテンツを抽出する広告抽出ステップと、
前記抽出された広告コンテンツを表示するための表示優先順位を、前記申込ユニット数に基づき決定する表示優先順位決定ステップと、
を備えたことを特徴とする広告表示方法。
【請求項１１】
ネットワークを介して複数の広告主端末装置およびユーザ端末装置に接続された広告表示サーバ装置用のプログラムであって、
コンピュータを、
前記広告主端末装置から広告用キーワードを受信する広告用キーワード受信手段、
複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出手段、
前記申込ユニット価格の情報を前記広告主端末装置に送信する申込ユニット価格送信手段、
前記申込ユニット価格で前記広告用キーワードに対して申し込まれた申込ユニット数の情報を前記広告主端末装置から受信する申込ユニット数受信手段、
前記広告用キーワード、前記申込ユニット数、広告主を特定する情報、および、広告コンテンツを関連付けて記憶する記憶手段、
前記ユーザ端末装置から検索用キーワードを受信する検索用キーワード受信手段、
前記検索用キーワードを受信した際、前記記憶手段内を参照して、前記検索用キーワードと関連する広告用キーワードを決定し、当該決定された広告用キーワードに関連づけて記憶された前記申込ユニット数および広告コンテンツを抽出する広告抽出手段、および、
前記抽出された広告コンテンツを表示するための表示優先順位を、前記申込ユニット数に基づき決定する表示優先順位決定手段として機能させることを特徴とする広告表示サーバ装置用のプログラム。
【発明の詳細な説明】
【技術分野】
【０００１】
本発明は、インターネット上の広告を行う広告表示サーバ装置、広告表示方法、および、広告表示サーバ装置用のプログラムに関する。特に、検索エンジンで検索されたキーワードに関連した広告を行う広告表示サーバ装置、広告表示方法、および、広告表示サーバ装置用のプログラムの技術分野に関する。
【背景技術】
【０００２】
インターネット上の広告は、バナー広告、メール広告、検索連動型広告、アフィリエイト広告等、様々な形態があり、広告の形状、広告の配信方法、広告に対する課金方法に応じて発達してきている。特に、検索連動型広告において、サーチ・エンジンの検索結果に対して、広告をどのように連動させるか工夫がなされている。例えば、特許文献１には、ユーザによるキーワード入力に応答して、サーチ・エンジン装置がそのキーワードと一致する複数の広告者のサーチ・リステイングをそれぞれのサーチ・リステイングの入札額の大きい順に配列したサーチ結果リストを生成してユーザに提供し、ユーザがサーチ結果リスト上のある広告者のサーチ・リステイングを選択すると、その入札額をその広告者の口座に自動的に請求できるようにしたサーチ・エンジン装置が開示されている。
【先行技術文献】
【特許文献】
【０００３】
【特許文献１】特表２００３−５０１７２９号公報
【発明の概要】
【発明が解決しようとする課題】
【０００４】
しかしながら、従来技術では、入札額の大きい順に配列したサーチ結果リストを生成しているため、特定のキーワードに広告者が集中して競争が激化したり、入札額が高額になり過ぎたりして、多くの広告主が入札に参加しにくかった。そのため、多くの広告主にとって参加の利便性が低かった。
【０００５】
本発明は、このような問題に鑑みてなされたものであり、その課題の一例は、複数の広告主に申し込みの機会を与え、広告主の利便性を高めた広告表示サーバ装置、広告表示方法、および、広告表示サーバ装置用のプログラムを提供することを目的とする。
【課題を解決するための手段】
【０００６】
上記課題を解決するために、請求項１に記載の発明は、ネットワークを介して複数の広告主端末装置およびユーザ端末装置に接続された広告表示サーバ装置であって、前記広告主端末装置から広告用キーワードを受信する広告用キーワード受信手段と、複数の前記広告主端末装置から前記広告用キーワードに対して申し込まれた申込ユニット数に基づいて、前記広告用キーワードの申し込み１ユニット当たりの価格である申込ユニット単価を算出する申込ユニット価格算出手段と、前記申込ユニット価格の情報を前記広告主端末装置に送信する申込ユニット価格送信手段と、前記申込ユニット価格で前記広告用キーワードに対して申し込まれた申込ユニット数の情報を前記広告主端末装置から受信する申込ユニット数受信手段と、前記広告用キーワード、前記申込ユニット数、および、広告コンテンツを関連付けて記憶する記憶手段と、前記ユーザ端末装置から検索用キーワードを受信する検索用キーワード受信手段と、前記検索用キーワードを受信した際、前記記憶手段内を参照して、前記検索用キーワードと関連する広告用キーワードを決定し、当該決定された広告用キーワードに関連づけて記憶された前記申込ユニット数および広告コンテンツを抽出する広告抽出手段と、前記抽出された広告コンテンツを表示するための表示優先順位を、前記申込ユニット数に基づき決定する表示優先順位決定手段と、を備えたことを特徴とする。
【０００７】
請求項２に記載の発明は、請求項１に記載の広告表示サーバ装置において、前記抽出された広告コンテンツを前記表示優先順位に従って配列した広告リストを生成する広告リスト生成手段と、前記検索用キーワードに応じた検索結果に前記広告リストを加えた検索結果ページを生成する検索結果ページ生成手段と、前記検索結果ページを前記ユーザ端末装置に送信する検索結果送信手段と、を更に備えたことを特徴とする。
【０００８】
請求項３に記載の発明は、請求項２に記載の広告表示サーバ装置において、前記広告リスト生成手段が、所定の数の前記広告コンテンツを前記広告リストに配列し、前記広告リストに配列された場合に、当該広告リストに配列された広告コンテンツと関連付けて前記記憶手段に記憶されている前記申込ユニット数を減算する申込ユニット数減算手段を更に備えたことを特徴とする。
【０００９】
請求項４に記載の発明は、請求項３に記載の広告表示サーバ装置において、前記申込ユニット数減算手段が、前記表示優先順位に応じて前記申込ユニット数から減算するユニット数を決定することを特徴とする。
【００１０】
請求項５に記載の発明は、請求項１から請求項４のいずれか１項に記載の広告表示サーバ装置において、各広告用キーワードに対して、申し込みができる前記申込ユニット数を制限する申込ユニット数制限手段を更に備えたことを特徴とする。
【００１１】
請求項６に記載の発明は、請求項１から請求項５のいずれか１項に記載の広告表示サーバ装置において、前記申込ユニット価格算出手段は、複数の前記広告主端末装置からの申込ユニット数の合計に基づいて、前記申込ユニット単価を算出することを特徴とする。
【００１２】
請求項７に記載の発明は、請求項６に記載の広告表示サーバ装置において、前記申込ユニット価格算出手段は、前記合計の申込ユニット数の増加に応じて、前記申込ユニット価格を上昇させることを特徴とする。
【００１３】
請求項８に記載の発明は、請求項１から請求項７のいずれか１項に記載の広告表示サーバ装置において、前記申込ユニット価格算出手段は、前記申込ユニット数および前記広告用キーワードの検索の頻度に基づいて、前記申込ユニット価格を算出することを特徴とする。
【００１４】
請求項９に記載の発明は、請求項１から請求項８のいずれか１項に記載の広告表示サーバ装置において、前記キーワードの申込期限の情報を前記広告主端末装置に送信する申込期間送信手段を更に備えたことを特徴とする。
【００１５】
請求項１０に記載の発明は、ネットワークを介して複数の広告主端末装置およびユーザ端末装置に接続された広告表示方法であって、前記広告主端末装置から広告用キーワードを受信する広告用キーワード受信ステップと、複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出ステップと、前記申込ユニット価格の情報を前記広告主端末装置に送信する申込ユニット価格送信ステップと、前記申込ユニット価格で前記広告用キーワードに対して申し込まれた申込ユニット数の情報を前記広告主端末装置から受信する申込ユニット数受信ステップと、前記広告用キーワード、前記申込ユニット数、および、広告コンテンツを関連付けて記憶手段に記憶する記憶ステップと、前記ユーザ端末装置から検索用キーワードを受信する検索用キーワード受信ステップと、前記検索用キーワードを受信した際、前記記憶手段内を参照して、前記検索用キーワードと関連する広告用キーワード決定し、当該決定された広告用キーワードに関連づけて記憶された前記申込ユニット数をおよび広告コンテンツを抽出する広告抽出ステップと、前記抽出された広告コンテンツを表示するための表示優先順位を、前記申込ユニット数に基づき決定する表示優先順位決定ステップと、を備えたことを特徴とする。
【００１６】
請求項１１に記載の発明は、ネットワークを介して複数の広告主端末装置およびユーザ端末装置に接続された広告表示サーバ装置用のプログラムであって、コンピュータを、前記広告主端末装置から広告用キーワードを受信する広告用キーワード受信手段、複数の前記広告主端末装置から前記広告用キーワードに対して申し込まれた申込ユニット数に基づいて、前記広告用キーワードの申し込み１ユニット当たりの価格である申込ユニット価格を算出する申込ユニット価格算出手段、前記申込ユニット価格の情報を前記広告主端末装置に送信する申込ユニット価格送信手段、前記申込ユニット価格で前記広告用キーワードに対して申し込まれた申込ユニット数の情報を前記広告主端末装置から受信する申込ユニット数受信手段、前記広告用キーワード、前記申込ユニット数、広告主を特定する情報、および、広告コンテンツを関連付けて記憶する記憶手段、前記ユーザ端末装置から検索用キーワードを受信する検索用キーワード受信手段、前記検索用キーワードを受信した際、前記記憶手段内を参照して、前記検索用キーワードと関連する広告用キーワードを決定し、当該決定された広告用キーワードに関連づけて記憶された前記申込ユニット数および広告コンテンツを抽出する広告抽出手段、および、前記抽出された広告コンテンツを表示するための表示優先順位を、前記申込ユニット数に基づき決定する表示優先順位決定手段として機能させることを特徴とする。
【発明の効果】
【００１７】
本発明によれば、広告主端末装置から広告用キーワードを受信し、複数の広告主端末装置から広告用キーワードに対して申し込まれた申込ユニット数に基づいて、広告用キーワードの申し込み１ユニット当たりの価格である申込ユニット価格を算出し、申込ユニット価格の情報を広告主端末装置に送信し、申込ユニット価格で広告用キーワードに対して申し込まれた申込ユニット数の情報を広告主端末装置から受信し、広告用キーワード、申込ユニット数、および、広告コンテンツを関連付けて記憶し、ユーザ端末装置から検索用キーワードを受信し、検索用キーワードを受信した際、記憶手段内を参照して、検索用キーワードと関連する広告用キーワードを決定し、当該決定された広告用キーワードに関連づけて記憶された申込ユニット数および広告コンテンツを抽出し、抽出された広告コンテンツを表示するための表示優先順位を、申込ユニット数に基づき決定することにより、申し込み１ユニット当たりユニット価格は、複数の広告主端末装置から申し込まれた申込ユニット数に基づき変動し、広告の表示優先順位は、入札額ではなく申込ユニット数によりが決定されるので、申し込みのための資金が十分にない場合であっても、ユニット価格が安いタイミングで多くの申込ユニットを獲得すると、広告主は表示優先順位の高い広告用のキーワードを得ることができる。そのため、複数の広告主に申し込みの機会を与え、広告主の利便性を高めることができる。
【図面の簡単な説明】
【００１８】
【図１】本発明に係る第１実施形態の広告表示システムの概要構成例を示す模式図である。
【図２】図１の広告表示サーバ装置の概要構成の一例を示すブロック図である。
【図３】図１の広告表示サーバ装置による広告用キーワードの申し込みの一例を示すフローチャートである。
【図４】図１の広告主端末装置における第１入力フォームの一例を示す模式図である。
【図５】図１の広告主端末装置における第２入力フォーム一例を示す模式図である。
【図６】図１の広告表示サーバ装置による広告リスト作成の一例を示すフローチャートである。
【図７】図１のユーザ端末装置における検索結果ページの一例を示す模式図である。
【図８】図１の広告主端末装置における第２入力フォームの変形例を示す模式図である。
【図９】本発明に係る第２実施形態において、広告表示サーバ装置による広告リスト作成の一例を示すフローチャートである。
【図１０】広告の表示結果のレポートを示す模式図である。
【発明を実施するための形態】
【００１９】
以下、図面を参照して本発明を実施するための最良の形態について説明する。
【００２０】
（第１実施形態）
【００２１】
まず、本発明の第１実施形態に係る広告表示システムの概略構成および機能について、図に基づき説明する。
【００２２】
図１は、本発明に係る実施形態の広告表示システムの概要構成例を示す模式図である。図２は、広告表示サーバ装置の概要構成の一例を示すブロック図である。
【００２３】
図１に示すように、広告表示システム１は、キーワードによる検索結果と共に、広告を表示させるためのＷｅｂページを作成する広告表示サーバ装置１０と、広告主が広告用キーワードの申し込みするための広告主端末装置２０と、ユーザがキーワードに基づき検索を行うためのユーザ端末装置２５と、を備える。
【００２４】
広告表示サーバ装置１０と、広告主端末装置２０と、ユーザ端末装置２５とは、インターネット等のネットワーク３に接続されている。
【００２５】
図２に示すように、コンピュータとして機能する広告表示サーバ装置１０は、広告表示サーバ装置１０を制御したり、プログラムを実行したりする制御部１１と、制御部１１の途中結果等を保持する記憶部１２と、ネットワーク３と接続して、広告主端末装置２０やユーザ端末装置２５との通信を行う通信部１３と、画像やテキスト等を表示する表示部１４と、広告コンテンツ等を記憶するデータベース１５と、キーボードやマウス等により構成される操作部１６と、を備え、これらは、バス１７により接続されている。
【００２６】
広告表示サーバ装置１０は、広告主端末装置２０から広告用キーワードの申し込み用の入力フォームを生成し、広告用キーワードを受け付けたり、検索エンジンの機能を有し、ユーザ端末装置２５から検索用キーワードを受信して広告に関する情報を付加した検索結果を送信したりする。なお、検索用キーワードによる検索は、検索エンジン用のサーバに機能分担してもよい。
【００２７】
制御部１１は、ＣＰＵ（Central Processing Unit）を有し、広告用キーワードの申し込み１ユニット当たりの価格（申込ユニット価格）を算出したり、検索用キーワードと関連する広告用キーワードを申し込んだ広告主および広告コンテンツを抽出したり、広告コンテンツを表示するための表示優先順位を決定したり、表示優先順位に従って配列した広告リストを生成したり、検索用キーワードに応じた検索結果に広告リストを加えた検索結果ページを生成したりする。
【００２８】
記憶部１２は、ＲＡＭ（Random Access Memory）やＲＯＭ（Read Only Memory）等を有する。
【００２９】
通信部１３は、ネットワーク３を通して広告主端末装置２０やユーザ端末装置２５と通信を行う。そして、通信部１３は、制御部１１の制御に基づき、広告主端末装置２０から広告用キーワードを受信したり、申込ユニット価格の情報を広告主端末装置２０に送信したり、申込ユニット価格で広告用キーワードに対して申し込まれた申込ユニット数の情報を広告主端末装置２０から受信したり、ユーザ端末装置２５から検索用キーワードを受信して、検索結果ページをユーザ端末装置２５に送信したりする。
【００３０】
また、表示部１４は、ＣＲＴ（Cathode Ray Tube）、液晶表示素子またはＥＬ（Electro Luminescence）素子等によって構成されている。
【００３１】
データベース１５は、ハードディスクから構成され、広告用キーワードや広告コンテンツを記憶したり、検索エンジン用のデータベースが構築されたりしている。
【００３２】
広告主端末装置２０は、パーソナルコンピュータでも携帯端末でもよく、表示部１４のような表示部２１を有する。また、ユーザ端末装置２５は、パーソナルコンピュータでも携帯端末でもよく、表示部１４のような表示部２６を有する。
【００３３】
次に、本実施形態の動作例について図に基づき説明する。
まず、広告表示サーバ装置１０における広告用キーワードの申し込みの動作例について説明する。
【００３４】
図３は、広告表示サーバ装置１０による広告用キーワードの申し込みの一例を示すフローチャートである。図４は、広告主端末装置２０における第１入力フォームの一例を示す模式図である。図５は、広告主端末装置２０における第２入力フォーム一例を示す模式図である。
【００３５】
まず、広告主は、商品やサービスの広告をインターネット上に出すために、広告表示サーバ装置１０により運営されるキーワード申し込みのＷｅｂページにアクセスする。そして、図３に示すように、広告表示サーバ装置１０の制御部１１は、広告用キーワードを申し込むための第１入力フォームに関するデータを広告主端末装置２０に送信する（ステップＳ１）。具体的には、図４に示すような第１入力フォーム３０を広告主端末装置２０の表示部２１に表示させるためのデータが送信される。
【００３６】
第１入力フォーム３０は、配信先の形態を選択する選択欄３１と、配信場所を特定する配信場所欄３２と、表示言語を選択する言語欄３３と、申込希望キーワードを記入するキーワード記入欄３４と、を有する。
【００３７】
第１入力フォーム３０のデータを受信した広告主端末装置２０では、第１入力フォーム３０が表示部２１に表示される。そして、広告主は、第１入力フォーム３０に必要事項を記入していく。広告主端末装置２０は、選択欄３１では、配信先の形態がパーソナルコンピュータ（ＰＣ）か、携帯電話のようにモバイル端末かを選択させる。配信場所欄３２では、国名やどのようなエリアに広告を配信させるかを選択させる。言語欄３３では、どのような言語で広告を表示させるかを選択させる。キーワード記入欄３４では、例えば、”液晶”のように１ワードや、”テレビ  ビデオ”のように組み合わせのキーワードのような申込希望キーワードを記入させる。広告主端末装置２０は、記入後、広告主に第１入力フォーム３０上の確定ボタンをクリックさせ、選択させたデータや広告用キーワード等が記入されたデータを広告表示サーバ装置１０に送信する。なお、ＰＣかモバイルかの端末の種類のデータや、配信場所のデータは、アクセスリクエストのＩＰヘッダに設定されている送信元ＩＰアドレスやユーザの行動履歴等により、端末の種類や配信場所を決める際に利用される。
【００３８】
次に、広告表示サーバ装置１０は、広告主端末装置２０から広告用キーワードを受信する（ステップＳ２）。具体的には、広告表示サーバ装置１０の制御部１１は、選択させたデータや広告用キーワード等が記入されたデータを受信する。このように広告表示サーバ装置１０は、広告主端末装置２０から広告用キーワードを受信する広告用キーワード受信手段の一例として機能する。
【００３９】
次に、広告表示サーバ装置１０は、広告用キーワードに対して申し込まれた申込ユニット価格を算出する（ステップＳ３）。具体的には、制御部１１は、複数の広告主端末装置２０から広告用キーワードに対して申し込まれた申込ユニット数の合計に基づいて、広告用キーワードの申し込み１ユニット当たりの価格（申込ユニット価格）を算出する。広告用キーワードに対する申し込みは、申込が可能な基本単位（申込ユニット）毎に行われ、この申込ユニットに対して価格（申込ユニット価格）が設定されている。申込者（広告主）は、広告用キーワードに対して、いくつのユニットで申し込むか（申込ユニット数）により、申し込みの意思表示をする。申込ユニット価格は、広告主の申込状況（広告主の行動）に応じて変動するように設定される。例えば、同じ広告用キーワードに対して、他の広告主等が既に申し込みをしている場合もあり、広告表示サーバ装置１０は、申し込まれた申込ユニット数の合計を求め、合計の申込ユニット数を申込ユニット価格に反映させて申込ユニット価格を変動させる。申込ユニット価格を変動の一例として、合計の申込ユニット数の増加するほど、申込ユニット価格を上昇させる。この場合、先行の申込者ほど、安い申込ユニット価格で多くの申込ユニット数を獲得できる。
【００４０】
なお、申込ユニット価格の算出は、各広告主端末装置２０からの申込ユニット数の関数であり、各広告用キーワードに対する全申込ユニット数の単純和に基づく他に、広告主に応じて重みを付けて得た和に基づいたり、各申込ユニット数のかけ算に基づいたり、各申込ユニット数の相乗平均や調和平均に基づいてもよい。また、後述するように、広告を表示させる優先順位は、獲得した申込ユニット数が多いほど高くなるように設定する。また、申込ユニット価格の初期値は、例えば広告枠の基準価格を予め決めておき、これを初期値とする。また、申込ユニット価格は、金額でなく、ポイントでもよい。
【００４１】
このように広告表示サーバ装置１０は、複数の広告主端末装置から前記広告用キーワードに対して申し込まれた申込ユニット数に基づいて、前記広告用キーワードの申し込み１ユニット当たりの価格を算出する申込ユニット価格算出手段の一例として機能する。また広告表示サーバ装置１０は、複数の広告主端末装置からの申込ユニット数の合計に基づいて、前記申込ユニット単価を算出する申込ユニット価格算出手段の一例として機能する。また、広告表示サーバ装置１０は、合計の申込ユニット数の増加に応じて、申込ユニット価格を上昇させる申込ユニット価格算出手段の一例として機能する。
【００４２】
次に、制御部１１は、申込ユニット価格を表示させて申込ユニット数を記入するための第２入力フォームに関するデータを広告主端末装置２０に送信する（ステップＳ４）。具体的には、図５に示すような第２入力フォーム４０を広告主端末装置２０の表示部２１に表示させるためのデータが送信される。
【００４３】
第２入力フォーム４０は、申込ユニット価格（現在の現在の一口当たりの価格）の表示欄４１と、申込ユニット数（申込口数）を入力する入力欄４２と、現在の表示の優先順位を示す順位表示欄４３と、優先順位が１つ上がるために必要な申込ユニット数を示す必要口数表示欄４４と、他のキーワード候補と情報を表示する表示欄４５と、を有する。第２入力フォーム４０では、申込ユニット数を、投資信託等の取引単位として使用される口数を利用して”申込口数”で、申込ユニット単価は、”一口当たりの価格”で表示している。
【００４４】
次に、第２入力フォーム４０のデータを受信した広告主端末装置２０では、第２入力フォーム４０が表示部２１に表示される。そして、広告主は、申込ユニット価格や表示順位等を参照しながら、各広告用キーワードやキーワード群に対して申込ユニット数を第２入力フォーム４０に記入していく。また、広告主を特定するための会社名、住所等の情報や、表示する広告のタイトル、要約、ＵＲＬ（Uniform Resource Locator）等の広告コンテンツの情報も記入する。記入後、第２フォーム４０の確定ボタンがクリックされて、申込ユニット数等の情報が広告主端末装置２０から広告表示サーバ装置１０へ送信される。また、他のキーワード候補を見て、他のキーワードも申し込みをしたい場合は、”戻る”ボタンをクリックし、第１入力フォーム３０のページに戻る。このように広告表示サーバ装置１０は、申込ユニット価格の情報を広告主端末装置２０に送信する申込ユニット価格送信手段の一例として機能する。
【００４５】
次に、広告表示サーバ装置１０は、広告主端末装置２０から申込ユニット数の情報を受信する（ステップＳ５）。具体的には、制御部１１は、申込ユニット数の情報や、広告主や、広告コンテンツ等の情報を受信する。このように広告表示サーバ装置１０は、申込ユニット価格で広告用キーワードに対して申し込まれた申込ユニット数の情報を広告主端末装置２０から受信する申込ユニット数受信手段の一例として機能する。
【００４６】
次に、広告表示サーバ装置１０は、広告用キーワードと、申込ユニット数と、広告主と、広告コンテンツとを関連付けて記憶する（ステップＳ６）。具体的には、制御部１１は、例えば、広告用キーワードに対して、広告主と、その広告主の広告コンテンツと、その広告主が申し込んだ申込ユニット数と、各広告主の申し込みユニット数の合計等とをデータベース１５内にデータベースを構築する。このように広告表示サーバ装置１０は、広告用キーワード、申込ユニット数、および、広告コンテンツを関連付けて記憶する記憶手段の一例として機能する。
【００４７】
広告用キーワードの申し込み受け付けに関して、一括で週や月決め等申込期限を設けたり、各広告用キーワードに対して申込期限を設けたり、各広告用キーワードや広告用キーワード群に申込枠（申込ユニット数に制限）を設けて申込枠がなくなるまで申し込みを行ったり、常時受け付けてリアルタイムに申込ユニット単価を変動させたり、これらを併用してもよい。
【００４８】
次に、広告表示サーバ装置１０による広告コンテンツ表示のための動作例について図に基づき説明する。
【００４９】
図６は、広告表示サーバ装置１０による広告リスト作成の一例を示すフローチャートである。図７は、ユーザ端末装置２５における検索結果ページの一例を示す模式図である。
【００５０】
まず、検索をしたいユーザが入力した検索用キーワードの情報が、ユーザ端末装置２５から広告表示サーバ装置１０へ送信される。そして、図６に示すように、広告表示サーバ装置１０は、検索用キーワードをユーザ端末装置２５から受信する（ステップＳ１０）。このように広告表示サーバ装置１０は、ユーザ端末装置２５から検索用キーワードを受信する検索用キーワード受信手段の一例として機能する。
【００５１】
次に、広告表示サーバ装置１０は、検索用キーワードに関連した広告コンテンツを抽出する（ステップＳ１１）。具体的には、広告表示サーバ装置１０の制御部１１は、データベース１５内から、検索用キーワードを含んだり、一致したり類似たりした広告用キーワードを探索し、広告用キーワードを決定する。そして制御部１１は、該当した広告用キーワードに対応する申込ユニット数および広告コンテンツ等を抽出する。このように広告表示サーバ装置１０は、検索用キーワードを受信した際、記憶手段内を参照して、検索用キーワードと関連する広告用キーワードを決定し、当該決定された広告用キーワードに関連づけて記憶された前記申込ユニット数および広告コンテンツを抽出する広告抽出手段の一例として機能する。
【００５２】
次に、広告表示サーバ装置１０は、申込ユニット数に基づき広告コンテンツの表示の優先順位を決定する（ステップＳ１２）。具体的には、制御部１１は、データベース１５を参照して申込ユニット数が多い広告コンテンツ順に、表示の優先順位を決定する。このように広告表示サーバ装置１０は、記憶手段内を参照して、抽出された広告コンテンツを表示するための表示優先順位を、申込ユニット数に基づき決定する表示優先順位決定手段の一例として機能する。
【００５３】
次に、広告表示サーバ装置１０は、抽出した広告コンテンツを表示優先順位に従って配列した広告リストを生成する（ステップＳ１３）。このように広告表示サーバ装置１０は、抽出された広告コンテンツを表示優先順位に従って配列した広告リストを生成する広告リスト生成手段の一例として機能する。
【００５４】
次に、広告表示サーバ装置１０は、広告リストを加えた検索結果ページを生成する（ステップＳ１４）。具体的には、制御部１１は、図７に示すように、ＨＴＭＬ（HyperText Markup Language）形式で記載された検索結果ページ５０を生成する。ここで、広告の表示順序として、例えば、図７に示すように、第１優先順位の広告コンテンツを、第１広告枠５１の１番目に、第２優先順位の広告コンテンツを第１広告枠５１の２番目に、第３優先順位の広告コンテンツを第２広告枠５２の第１番目に等に、順に割り当を行う。このように広告表示サーバ装置１０は、検索用キーワードに応じた検索結果に広告リストを加えた検索結果ページを生成する検索結果ページ生成手段の一例として機能する。
【００５５】
なお、広告主が、第１入力フォーム３０や第２入力フォーム４０において、第１広告枠５１、第２広告枠５２、および、第３広告枠５３のいずれかに表示させるか選択させて、各広告枠５１、５２、５３毎に広告リストを生成してもよい。この場合、広告枠に応じて、申込ユニット価格を変えたり、各広告枠５１、５２、５３別々に広告用キーワードの申し込みを行ったりしてもよい。
【００５６】
次に、広告表示サーバ装置１０は、検索結果ページをユーザ端末装置２５に送信する（ステップＳ１５）。検索結果ページを受信したユーザ端末装置２５は、図７に示すような検索結果ページが、ユーザ端末装置２５の表示部２６に表示される。このように広告表示サーバ装置１０は、検索結果ページをユーザ端末装置２５に送信する検索結果送信手段の一例として機能する。
【００５７】
このように本実施形態によれば、広告主端末装置２０から広告用キーワードを受信し、複数の広告主端末装置２０から広告用キーワードに対して申し込まれた申込ユニット数に基づいて、広告用キーワードの申し込み１ユニット当たりの価格である申込ユニット価格を算出し、申込ユニット価格の情報を広告主端末装置２０に送信し、申込ユニット価格で広告用キーワードに対して申し込まれた申込ユニット数の情報を広告主端末装置２０から受信し、広告用キーワード、申込ユニット数、および、広告コンテンツを関連付けてデータベース１５に記憶し、ユーザ端末装置２５から検索用キーワードを受信し、検索用キーワードを受信した際、データベース１５内を参照して、検索用キーワードと関連する広告用キーワードを決定し、当該決定された広告用キーワードに関連づけて記憶された申込ユニット数および広告コンテンツを抽出し、データベース１５内を参照して、抽出された広告コンテンツを表示するための表示優先順位を、申込ユニット数に基づき決定することにより、申し込み１ユニット当たりユニット価格は、申込ユニット数の合計に基づき変動し、広告の表示優先順位は、入札額ではなく申込ユニット数によりが決定されるので、申し込みのための資金が十分にない場合であっても、ユニット価格が安いタイミングで多くの申込ユニットを獲得すると、広告主は表示優先順位の高い広告用のキーワードを得ることができる。そのため、複数の広告主に幅広く申し込みの機会を与え、広告主の利便性を高めることができる。
【００５８】
また、抽出された広告コンテンツを表示優先順位に従って配列した広告リストを生成し、検索用キーワードに応じた検索結果に広告リストを加えた検索結果ページを生成し、検索結果ページをユーザ端末装置に送信した場合、申込ユニット数が多い広告コンテンツほど、ユーザの目に触れやすい、Ｗｅｂページの位置に、表示され、広告主の希望にあった広告効果を高めることができる。
【００５９】
また、複数の広告主端末装置２０からの申込ユニット数の合計に基づいて、申込ユニット単価を算出した場合、各広告主の申込ユニット数が、単純に申込ユニット単価に反映しやすく、広告主は申込ユニット単価をある程度予想しやすくなる。
【００６０】
また、合計の申込ユニット数の増加に応じて、申込ユニット価格を上昇させた場合、申込ユニット価格が、合計の申込ユニット数に対して単調増加関数となり、先行の申込者が、より安く広告用キーワードの購入ができる。しかも、タイミング次第では、一定の予算枠内においてなるべく多くの申込ユニット数を申し込める機会を得ることができる。そのため、広告主にとっては、投資行動に見合って収益性が高くなるため、広告主の利便性を高めることができる。
【００６１】
なお、広告表示サーバ装置１０は、キーワードの申込期限の情報を広告主端末装置２０に送信してもよい。具体的には、図８に示すように、第２入力フォーム６０に、申込期限の表示欄６１を設け、申込期限を表示させるようにする。申込期限を設けることにより、広告主にとって最終的な表示優先順位を確定する時期が明確になり、広告主の利便性を高めることができる。このように、広告表示サーバ装置１０は、キーワードの申込期限の情報を広告主端末装置２０に送信する申込期間送信手段の一例として機能する。
【００６２】
また、各広告用キーワードに対して、申し込みができる申込ユニット数を制限してもよい。具体的には、図８に示すように、残りの口数（残りの申込ユニット数）の表示欄６２に示すようにする。または、申込ユニットの最大の発行数を表示してもよい。最大申込ユニット数を設定することで、申込ユニット単価が際限なく上昇することを防止でき、申込ユニット価格の制御がしやすくなり、また、広告主の利便性も高めることができる。また、申込ユニット数の枠が決まっていると、広告主にとって残りの申込ユニット数が分かり、申込ユニット単価の動きも予想しやすく、広告主の利便性も高めることができる。このように広告表示サーバ装置１０は、各広告用キーワードに対して、申し込みができる申込ユニット数を制限する申込ユニット数制限手段の一例として機能する。
【００６３】
あるいは、設定された最大申込ユニット数は広告主端末装置２０に表示させることなく、広告表示サーバ装置１０の内部で保持しているだけでもよい。この場合、少数の広告主にすべての申込ユニット数を申し込みされてしまうことを抑制することができる。
【００６４】
また、図８に示すように、検索予想件数の表示欄６３を設け、検索予想件数を表示してもよい。広告主にとって、申し込みの効果が推測しやすくなり、広告主の利便性も高めることができる。
【００６５】
また、申込ユニット数および広告用キーワードの検索の頻度に基づいて、前記申込ユニット価格を算出してもよい。この場合、申込ユニット価格が、申込ユニット数と、広告用キーワードの検索の頻度との関数になる。例えば、検索の人気が高いキーワードほど、申込ユニット価格の初期値等を高くするように設定する。これにより、広告効果に見合った申込ユニット価格を設定することができる。このように広告表示サーバ装置１０は、申込ユニット数および広告用キーワードの検索の頻度に基づいて、申込ユニット価格を算出する申込ユニット価格算出手段の一例として機能する。
【００６６】
また、第２入力フォーム４０おいて、ある広告用キーワードに対して期間内に今まで申し込んだ申込履歴や累積の申込ユニット数（累積申込口数）や累積の申込額等を表示させてもよい。これらの場合、どのような申込ユニット価格でどのくらいの申込ユニット数を申し込んだかや、合計でどのくらいの申し込んだか等が分かりやすくなり広告主の利便性が高まる。また、第２入力フォーム４０おいて、”液晶”と”テレビ  ビデオ”とをまとめて、申込ユニット価格を表示させ、これらに対して一括で申込ユニット数を申し込ませてもよい。一括して申込ができるので、広告主の利便性が高くなる。
【００６７】
（第２実施形態）
次に、本発明に係る第２実施形態に係る広告表示システムについて、図に基づき説明する。なお、本実施形態の広告表示システムの構成は、前記第１実施形態に係る広告表示システムと同様であり、第１実施形態と同一または対応する部分には、同一の符号を用いて動作等を説明する。その他の実施形態および変形例も同様とする。
【００６８】
本発明に係る第２実施形態の動作について、図に基づき説明する。
【００６９】
図９は、本発明に係る第２実施形態において、広告表示サーバ装置による広告リスト作成の一例を示すフローチャートである。図１０は、広告の表示結果のレポートを示す模式図である。
【００７０】
図９に示すように、ステップＳ１０からステップＳ１５まで、第１実施形態と同様である。そして、ステップＳ１５で広告表示サーバ装置１０が、ユーザの検索要求に応じて検索結果ページをユーザ端末装置２５に送信した後、広告表示サーバ装置１０は、記載された広告コンテンツに対して、データベース１５に記憶されている申込ユニット数を減算する（ステップＳ１６）。具体的には、広告表示サーバ装置１０の制御部１１は、広告コンテンツが表示されるたびに、データベース１５に記憶されている申込ユニット数を減算していく。減算する対象のコンテンツは、広告リストに配列された所定の数の広告コンテンツである。そして、広告表示サーバ装置１０は、新たに検索要求があった場合、ステップＳ１２において、減算された申込ユニット数に基づき、広告コンテンツの表示優先順位を決定する。申込ユニット数の減少に従い、検索結果ページ５０に表示された広告コンテンツの表示優先順位が低下し、表示されなかった広告コンテンツの表示優先順位が上昇する。
【００７１】
図１０に示すように、広告表示サーバ装置１０は、広告主がＷｅｂで閲覧可能なレポートページ７０を作成する。レポートページ７０は、申し込みをした申込ユニット数（口数）の残余の表示欄７１と、表示順位欄７２と、順位履歴一覧の見るためのボタン７３と、表示回数を示す表示回数表示欄７４と、を有する。残余の表示欄７１には、減算された現在の申込ユニット数が表示され、表示順位欄７２には、現在の表示順位が表示され、表示回数表示欄７４には、検索要求により表示された表示回数が表示される。ボタン７３がクリックされると、ログデータとして表示順位の変化の履歴が表示される。
【００７２】
このように、広告表示サーバ装置１０は、所定の数の広告コンテンツを広告リストに配列し、広告リストに配列された場合に、当該広告リストに配列された広告コンテンツと関連付けて記憶手段に記憶されている申込ユニット数を減算する申込ユニット数減算手段の一例として機能する。
【００７３】
広告リストに配列された場合に、データベース１５に記憶されている申込ユニット数を減算することにより、最初に申し込みをして大量の申込ユニット数を獲得した広告主は、トータルで購入額を安く抑えることができるが、全体の申込ユニット数が少ない広告コンテンツを有する広告主でも、広告コンテンツが表示される機会を得ることができ、多くの広告コンテンツにとって表示される機会が増加する。また、多くの広告主に広く申し込みの機会を与えることができる。
【００７４】
また、減算された申込ユニット数を、申込ユニット価格に反映させてもよい。この場合、ユーザの検索結果に応じ、リアルタイムに申込ユニット価格を変動させることができる。
【００７５】
なお、広告表示サーバ装置１０が表示優先順位に応じて申込ユニット数を減算してもよい。具体的には、高い優先順位の広告コンテンツほど、申込ユニット数の減算の割合を多くする。この場合、より多くの広告コンテンツにとって表示される機会が増加し、広告主間での公平感がさらに高くなる。このように広告表示サーバ装置１０は、表示優先順位に応じて申込ユニット数から減算するユニット数を決定する申込ユニット数減算手段の一例として機能する。
【００７６】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００７７】
３：ネットワーク
１０：広告表示サーバ装置
１５：データベース（記憶手段）
２０：広告主端末装置
２５：ユーザ端末装置
【図１】
2011133941.tif 000003
【図２】
2011133941.tif 000004
【図３】
2011133941.tif 000005
【図４】
2011133941.tif 000006
【図５】
2011133941.tif 000007
【図６】
2011133941.tif 000008
【図７】
2011133941.tif 000009
【図８】
2011133941.tif 000010
【図９】
2011133941.tif 000011
【図１０】
2011133941.tif 000012